(57)【要約】  【課題】  デザインの異なる複数のフィルム形状のテンプレート中から顧客の要望に応じたデザインのべた焼き写真風のプリントを容易に作成することが出来、しかもプリントしたいコマ画像の数が多くても自動的に所望のテンプレートに合成して、プリント処理出来る画像処理装置を提供する。  【解決手段】  コマ画像を挿入するための複数の画像挿入部を備えたテンプレートの前記画像挿入部にコマ画像をメインコントローラを介して合成して、この合成画像をプリント処理するようにした画像処理装置において、メインコントローラに、複数種類のテンプレートを格納するための格納部と、格納部に格納されているテンプレート中から選択したテンプレートの画像挿入部にコマ画像を合成するための合成機能と、合成するコマ画像がテンプレートの画像挿入部の数よりも多くなった場合、複数のテンプレートを並べて、これら複数のテンプレートの画像挿入部に前記コマ画像を合成してプリント処理可能とする合成処理制御機能とを構築した。  【選択図】  図２
2005274846.tif 000002
【特許請求の範囲】
【請求項１】
コマ画像を挿入するための複数の画像挿入部を備えたテンプレートの前記画像挿入部にコマ画像を制御手段を介して合成して、この合成画像をプリント処理するようにした画像処理装置において、
制御手段には、複数種類のテンプレートを格納するための格納部と、格納部に格納されているテンプレート中から選択したテンプレートの画像挿入部にコマ画像を合成するための合成機能と、合成するコマ画像がテンプレートの画像挿入部の数よりも多くなった場合、複数のテンプレートを並べ、これら複数のテンプレートの画像挿入部に前記コマ画像を合成してプリント処理可能とする合成処理制御機能とが構築されていることを特徴とする画像処理装置。
【発明の詳細な説明】
【技術分野】
【０００１】
本発明は、読み取り装置で読み取った画像データに基づいてその画像を印画紙にプリント処理するようにした所謂デジタル方式の画像処理装置に関する。
【背景技術】
【０００２】
一般に、この種の画像処理装置は、写真フィルムに写された画像などを読み取るための読み取り装置と、この読み取り装置で読み取った画像データに基づいてその画像を印画紙に焼き付けるための露光装置とが備えられ、読み取り装置で読み取った画像データにより、その画像を露光装置で印画紙に焼き付けた後、この印画紙を現像処理装置で現像して、プリントを仕上げるようにしている。
【０００３】
ところで、官庁などへの提出用写真として、フィルムのパーフォレーション形成部分やコマナンバーコード部分等、フィルム全体の像を印画紙に直接焼き付けて成る所謂ベタ焼き写真の作成を依頼される場合があるが、前述の画像処理装置は、例えば撮影済フィルムをスキャニングする際、フィルムに撮影された各コマの画像部分のみを読み取るようにしているので、アナログ形式の画像処理装置のように直接べた焼き写真をプリントするようなことが出来ない。
【０００４】
そのため、従来では、コマ画像を挿入するための複数の画像挿入部を備えてなるフィルム形状のテンプレートを予め作成しておき、読取装置で読み取ったコマ画像を、前述のテンプレートの各画像挿入部にそれぞれ合成した後、露光装置により、画像挿入部にコマ画像を合成してなるフィルム全体の像を印画紙に焼き付けるようにしている。（特許文献１参照）
【特許文献１】特開２００１−２９０２２５号  しかしながら、前述の公開公報に示された画像処理装置では、テンプレートは標準的なフィルム形状の画像だけしか用意されておらず、好みのデザインのべた焼き写真風のプリントを作成することが出来ないし、また合成したいコマ画像の数が多い場合には、オペレータが複数のテンプレートをその都度読み出して合成作業を行なわねばならず、作業性が悪いという不具合がある。
【発明の開示】
【発明が解決しようとする課題】
【０００５】
本発明は以上の実情に鑑みて開発したものであって、目的とするところは、デザインの異なる複数のフィルム形状のテンプレート中から顧客の要望に応じたデザインのべた焼き写真風のプリントを容易に作成することが出来、しかもプリントしたいコマ画像の数が多くても自動的に所望のテンプレートに合成して、プリント処理出来る画像処理装置を提供するにある。
【課題を解決するための手段】
【０００６】
以上の目的を達成するために、請求項１に記載の発明は、複数の画像挿入部を備えたテンプレートの前記画像挿入部にコマ画像を制御手段を介して合成して、この合成画像をプリント処理するようにした画像処理装置において、制御手段に、複数種類のテンプレートを格納するための格納部と、格納部に格納されているテンプレート中から選択したテンプレートの画像挿入部にコマ画像を合成するための合成機能と、合成するコマ画像がテンプレートの画像挿入部の数よりも多くなった場合、複数のテンプレートを並べて、これら複数のテンプレートの画像挿入部に前記コマ画像を合成してプリント処理可能とする合成処理制御機能とを構築したことを特徴とするものである。
【発明の効果】
【０００７】
請求項１に記載の発明によれば、プリントしたいコマ画像が多くても、好みのデザインからなるべた焼き写真風のプリントを容易に作成することが出来るに至ったのである。
【発明を実施するための最良の形態】
【０００８】
図１は、本発明にかかる画像処理装置の一例を概略的に示したものであって、この画像処理装置１は、
現像済フィルムをセットするためのフィルムマスクユニット２１、このフィルムマスクユニット２１にセットされた現像済フィルムのコマ画像を読み取るためのスキャナ２２、各種記録メディアに記録した画像データを読み取るための読み取り装置２３、スキャナ２２または読み取り装置２３で読み取った画像データに主として各種の画像処理を施すための画像処理部２４を搭載した画像処理機２と、
画像処理機２で処理された画像データにより、プリント用紙の一例である印画紙Ｐに画像を焼き付けるためのプリンター３と、
プリンター３で画像が焼き付けられた印画紙を現像するためのプロセッサ４とから構成されている。
【０００９】
画像処理機２に搭載されているスキャナ２２は、現像済フィルムをフィルムマスクユニット２１にセットすることにより、光源ユニット２０からの光を、フィルムマスクユニット２１にセットされた現像済フィルムに照射して各コマの画像を順次読み取って画像処理部２４に出力し、また画像処理部２４では、スキャナ２２または読み取り装置２３で読み取られた画像データに各種画像処理を施すようにしている。
【００１０】
画像処理部２４は、画像処理ソフトウエア等がインストールされたコンピュータから成るメインコントローラ２５と、メインコントローラ２５に各種情報を入力するためのキーボード２６ａ及びマウス２６ｂと、各種情報を表示するためのモニター２７とから構成されている。
【００１１】
そしてスキャナ２２若しくは読み取り装置２３により読み取られた画像データは、所定の処理プログラムとキーボード２６ａまたはマウス２６ｂにより入力されるプリントサイズなどの各種情報に基づいてメインコントローラ２５により適宜処理された後、順次プリントデータとしてプリンター３に搭載した後記のサブコントローラ３０に出力するようにしている。
【００１２】
プリンター３は、画像処理機２の画像処理部２４で作成されたプリントデータを印画紙Ｐに焼き付けるためのものであり、画像処理部２４から出力されたプリントデータなどを入力するためのサブコントローラ３０と、ロール状に巻かれた印画紙Ｐを充填したペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するための露光機構３３とが搭載されている。
【００１３】
そしてプリンター３では、メインコントローラ２５から出力されるプリントデータがサブコントローラ３０に入力されるに伴い、このサブコントローラ３０で、入力されるプリントデータに基づいて露光用データが生成されて、露光機構３３に出力されるようにしている。
【００１４】
尚、露光機構３３の方式としては、ＰＬＺＴシャッター方式やレーザービーム方式、液晶シャッター方式、蛍光ビーム方式等が知られており、仕様に応じて任意の方式を採択することが出来る。
【００１５】
プロセッサ４は、プリンター３で画像が焼き付け処理された印画紙Ｐを現像処理するための現像処理機構４１と、現像処理機構４１で現像処理された印画紙Ｐを乾燥するための乾燥処理機構４２と、乾燥処理により完成したプリントＰＲを搬出するための搬出機構４３とが備えられている。
【００１６】
現像処理機構４１は複数の処理槽を備えており、これら処理槽には、現像液、漂白・定着液、安定化液等の各種処理液がそれぞれ個別に貯溜されている。
【００１７】
乾燥処理機構４２は、印画紙Ｐを乾燥するためのヒーターを備え、搬送機構（図示せず）により印画紙Ｐが搬送される間に印画紙Ｐをヒーターで適宜乾燥するようにしている。
【００１８】
そして以上の構成から成る画像処理装置１において、図に示す実施形態では、メインコントローラ２５の記憶装置には、複数種類のテンプレートを格納するための格納部５が設けられると共に、メインコントローラ２５のプログラム上には、
格納部５に格納されている複数のフィルム形状をしたテンプレート６ａ〜６ｄ中から選択したテンプレートの画像挿入部６１にコマ画像６０を合成するための合成機能７ａと、
合成するコマ画像６０の数がテンプレートの画像挿入部６１の数よりも多くなった場合、そのテンプレートを複数並べて、これらテンプレートの画像挿入部６１に前記コマ画像６０を合成してプリント処理可能とする合成処理制御機能７ｂと、
コマ画像のデータを画像挿入部６１に嵌め込める大きさに自動的に変更するための画像サイズ変更機能７ｃとが構築されている。
【００１９】
格納部５には、所望のデザインの画像からなるテンプレートが任意格納されるのであって、実施形態では、図３〜図６に示すテンプレート６ａ〜６ｄが予め格納されている。
【００２０】
図３〜図６に示すテンプレート６ａ〜６ｄは、それぞれデザインが異なり、またいずれのテンプレート６ａ〜６ｄにもコマ画像６０が挿入可能な４つの画像挿入部６１が備えられている。
【００２１】
以上の構成から成る画像処理装置により、べた焼き写真風のプリントを仕上げるには、まず、キーボード２６ａによる入力操作で、メインコントローラ２５の格納部５に格納されているテンプレート６ａ〜６ｄ中から所望のデザインのテンプレート（例えば６ａ）を選択すると共に、スキャナ２２を介して現像済みフィルム中のコマ画像をメインコントローラの記憶部に取り込むと、合成処理機能７により、取り込まれたコマ画像が、テンプレート中の画像挿入部６１に嵌めこまれた合成画像データが作成され、この合成画像がモニター２７の画面上に表示される。
【００２２】
この時、コマ画像のデータの大きさが、テンプレートの画像挿入部６１の大きさよりも大きい場合には、画像サイズ変更機能７ｃにより、コマ画像のデータの大きさが自動的に変更された上で、テンプレート６ａ中の画像挿入部６１に嵌め込まれる。
【００２３】
またプリントしたいコマ画像の数がテンプレート６ａの画像挿入部６１の数（４個）よりも多い場合、例えば２４個のコマ画像をプリントしたい場合には、画像処理制御機能７ｃを介してテンプレート６ａが４つ並べられた状態で、これら各テンプレートの画像挿入部６１に２４個のコマ画像６０が合成された画像データが作成されると共に、その合成画像がモニター２７の画面上に表示されるのである。
【００２４】
オペレータは、モニター２７の画面上に表示される合成画像でよければ、キーボード２６ａを介してプリント指令を出すのであって、これにより、プリンター３でその合成画像が印画紙Ｐに焼付られた後、プロセッサ４で現像処理されて、図７に示すようなべた焼き写真風のプリントＰＲが仕上げられるのである。
【００２５】
以上の実施形態では、４つの画像挿入部６１をもつテンプレート６ａ〜６ｂを格納部５に格納したが、これに限定されるものではなく、例えば６つの画像挿入部６１を有するテンプレートを格納部５に格納しておいてもよい。
【００２６】
また以上の実施形態では、印画紙Ｐを用いた画像処理装置に本発明を適用したが、これに限定されるものではなく、印画紙以外のプリント用紙を用いた画像処理装置に本発明を適用してもよい。
【図面の簡単な説明】
【００２７】
【図１】本発明にかかる画像処理装置の説明図
【図２】同、要部の構成図。
【図３】格納部に格納しているテンプレートの一例を示す説明図。
【図４】格納部に格納しているテンプレートの一例を示す説明図。
【図５】格納部に格納しているテンプレートの一例を示す説明図。
【図６】格納部に格納しているテンプレートの一例を示す説明図。
【図７】本発明の画像処理装置で作成したプリントの一例を示す説明図。
【符号の説明】
【００２８】
１      画像処理装置
２      画像処理機
２５    メインコントローラ（制御手段）
２７    モニター
３      プリンタ
４      プロセッサ
５      格納部
６ａ〜６ｄ  テンプレート
６０    コマ画像
６１    画像処理部
７ａ    合成機能
７ｂ    合成処理制御機能
【図１】
2005274846.tif 000003
【図２】
2005274846.tif 000004
【図３】
2005274846.tif 000005
【図４】
2005274846.tif 000006
【図５】
2005274846.tif 000007
【図６】
2005274846.tif 000008
【図７】
2005274846.tif 000009